(57)【要約】【課題】使用する部品が少なく、現場での施工が容易で、さらにコスト的にも有利な、特に一般戸建住宅用防音床構造、これに使用する緩衝支持脚、及びかかる防音床を含む防音二重床施工方法を提供すること。【解決手段】エラストマーを含む緩衝支持脚、床材、場合により捨て板を含む、防音床構造。【選択図】  図３
2004270206.tif 000002
【特許請求の範囲】
【請求項１】
エラストマーを含む緩衝支持脚、床材、場合により捨て板を含む、防音床構造。
【請求項２】
少なくとも、大引き；場合により根太；及び基板；及び仕上げ材とを含む普通床構造において、前記仕上げ材の下部に、エラストマーを含む緩衝支持脚；床材；場合により捨て板から構成される防音床構造部分を含むことを特徴とする、防音床構造を含む防音二重床構造。
【請求項３】
台座部、床材への貫入部、及び場合によりワッシャを含む、防音床用緩衝支持脚。
【請求項４】
少なくとも、大引き；場合により根太；及び基板；から構成される床面の所定の位置に際根太を施工し、緩衝支持脚を取り付けた床材を前記際根太に置き、場合によりこの上に捨て板を置き、さらにこの上に仕上げ材を置くことからなる、防音床を含む防音二重床の施工方法。
【請求項５】
エラストマーを含む緩衝支持脚及び複数の貫入孔を設けた床材からなる防音床用キット。
【発明の詳細な説明】
【０００１】
【発明の属する技術分野】
本発明は、一般戸建住宅用床に用いることができる防音床構造に関し、特に防音床構造を含む防音二重床構造に関する。さらに本発明はこのような防音床構造に使用することができる、緩衝支持脚に関する。本発明にかかる緩衝支持脚は、床基板などに貫通孔を作ってこれに貫入することによって、単体で直接施工可能なものである。さらに本発明は上記緩衝支持脚を用いた防音床を含む防音二重床の施工方法に関する。
【０００２】
【従来の技術】
従来、集合住宅、戸建住宅等においては、床面への物の落下音や、人の走り回る足音などによる衝撃音が、階下の住民が耐えられないほどの騒音をもたらし、社会生活上の問題を引き起こしている。かかる衝撃音を吸収し、騒音を引き起こさない床構造が望まれている。
【０００３】
建築物の床構造を通じて階下にもたらされる衝撃音には、例えば、靴底やスリッパ等で床を叩いたときに生じるコツコツという音と、例えば、子供が高所から床に飛び降りたとき等に生じるドシンという衝撃音とがある。建築物の現場における床衝撃音レベルの測定法は、ＪＩＳ  Ａ  １４１８−１：２０００及び２：２０００に定められており、前者のような衝撃音は「軽量床衝撃音レベル」、後者のような衝撃音は「重量床衝撃音レベル」として、それぞれ床衝撃音に対する遮断性能の指標を得ることができる。このうち、軽量床衝撃音は、床構造上にカーペットなどの敷物を敷いたり、床とスラブ間に発泡体等の衝撃吸収体を施工することにより、相当程度まで軽減することが可能である。しかし、併せて重量床衝撃音を軽減することは非常に困難であった。そこで、これら床衝撃音を効果的に軽減させる方法として、二重床構造にする方法が採られることがある。
【０００４】
従来、集合住宅に用いられる二重床用支持脚用台座として、例えば、特許文献１に記載されるような特殊な構造をしたものが提案されている。この支持脚用台座は、硬質ゴム層と軟質ゴム層とを積層して組み合わせ、かつ床スラブと接触する面に溝を設けることによって床スラブとの接触面積を減じることにより、軽量床衝撃音レベルおよび重量床衝撃音レベルを同時に緩和することを目的としている。しかし、かかる支持脚用台座は、重量衝撃を十分に吸収することができず、床面の振動を軽減できないという問題がある。さらにかかる支持脚用台座を用いて二重床を施工すると、特許文献１に記載される図面に表されるとおり、支持脚用台座の他、支持脚、アジャスタ金具など種々の部品が必要となる。さらに、現場での施工の際に支持脚の高さ調整などが必要となって作業性が悪く、さらにコストもかかるという不都合がある。
【０００５】
一方、一般戸建住宅用床構造は、集合住宅に比べ床、壁等の剛性が不足していることもあり、軽量衝撃音は床表面材等により改善される事は知られているが、重量衝撃音は打撃エネルギーが大きく二重床構造にしても改善されないことが多い。また、室内高さを制限される事、施工コストがかかることからこれまでは図１ａ〜ｃに示されるようないわゆる直張りタイプの床システムしか市販されておらず、二重床タイプのものはない。直張りタイプの床において防音効果を必要とする場合には、図２に示されるように、基板と仕上げ材との間に防音床材等を施工することも行われてきている。しかし、かかる防音シート等を施工しても防音効果が乏しく、特に重量衝撃音レベルを軽減することが困難な場合が多かった。
【０００６】
そこで、戸建住宅においても、二重床構造によって衝撃音を軽減することができれば、防音効果の他、床下部分に電気配線などを施すことも可能となり、非常に便利であると考えられる。
【０００７】
尚、この出願の発明に関連する先行技術文献情報としては次のものがある。
【０００８】
【特許文献１】
特開平９−１９５４８４号
【０００９】
【発明が解決しようとする課題】
本発明は、使用する部品が少なく、現場での施工が容易で、さらにコスト的にも有利な、特に一般戸建住宅用防音床構造、これに使用する緩衝支持脚、及び防音床構造を含む防音二重床施工方法を提供する。本発明の防音床構造は、従来は存在しなかった一般戸建住宅用防音二重床に使用できる点が非常に有利である。
【００１０】
【課題を解決するための手段】
本発明の防音床構造は、エラストマーを含む緩衝支持脚、床材、場合により捨て板を含む、防音床構造である。本発明の防音床構造について、特に従来の一般戸建住宅の床構造と対比しながら説明する。
【００１１】
まず、図１に、一般的な戸建住宅用床構造を示す。図１ａは、いわゆる防音施工をしない在来根太床構造である。１：大引きに垂直に２：根太を数本置き、この上に３：基板を置いて、さらに４：仕上げ材を置いた構造となっている。さらに図１ｂは、いわゆる根太レス床と称される構造であり、大引きの上に根太を置くことなく、３：基板と４：仕上げ材との間に５：石膏ボードを配置した構造となっている。また図１ｃは、いわゆるＡＬＣ床（オートクレーブ・ライト・コンクリート床）と称される構造であり、主に軽量鉄骨構造住宅に用いられる床構造である。６：軽量鉄骨梁の上に直接３：基板としてＡＬＣボードを置き、この上に４：仕上げ材を置いた構造となっている。本明細書では、図１ａ〜ｃに示される構造の床を、全て「普通床」「基準床」「従来床」などと称することとする。
【００１２】
図２は、上記普通床に防音施工をしたものである。図２は、特に図１ａのタイプの在来根太床に防音施工をしたものの例である。床材と仕上げ材との間に、７：防音床材を置いた構造となっている。本明細書では、図１ａ〜ｃに示される構造の床に防音床材などを配置することによって防音施工をしたものを、全て「従来の防音床」「従来防音床」「防音普通床」等と称することとする。
【００１３】
これに対し、本発明の防音床を含む防音二重床は、図３に示されるような構造となっている。図３は、図１ａに示される在来根太床上に本発明の防音床を施工した例を図示したものである。すなわち、本発明の防音二重床構造は、上記普通床の基板と仕上げ材との間に、エラストマーを含む９：緩衝支持脚、１０：床材、場合により１１：捨て板を含む、防音床構造を含むものである。図１ｂに示される根太レス床構造には、石膏ボードと仕上げ材との間に本発明の防音床を施工することが好ましく、図１ｃに示されるＡＬＣ床構造には、ＡＬＣボードと仕上げ材との間に本発明の防音床を施工することが好ましい。
【００１４】
本明細書において防音床とは、普通床の基板から本発明に用いる床材（例えばパーティクルボード）までの長さが１０〜２５０ｍｍ、好ましくは１５〜８０ｍｍ程度である防音床構造を指す。本発明の防音床構造は、特に一般戸建住宅用床の施工に有利に用いることができるが、マンション等の集合住宅に使用することもまた可能である。一般戸建住宅は、従来工法（軸組工法）、ツーバイフォー、軽量鉄骨系工法など、種々の工法からなる住宅があるが、これらのいずれの工法の住宅の床の施工にも有利に使用できる。すなわちいかなるタイプの普通床構造にも有利に適用可能である。
【００１５】
本明細書においては、上述した普通床に、上記本発明の防音床を施工した構造を、「防音二重床」「防音床を含む防音二重床」「本発明の防音二重床」等と称することとする。
【００１６】
緩衝支持脚とは、本発明に係る、現場での施工が容易な防音床構造に使用することができる支持脚であって、緩衝機能を有し、本発明に特徴的な形状をした支持脚のことである。特許文献１に示されるような従来の二重床に使用されていた支持脚及び台座は、それぞれ別個の部品となっていたため、これを連結するための金具などの種々のパーツが必要となる場合があった。しかし本発明の緩衝支持脚は、いわば従来の台座部と支持脚部分が一体化されたものと考えることができる。すなわち、本発明の緩衝支持脚は、台座部、床材への貫入部、及び場合によりワッシャを含む、防音床施工用緩衝支持脚である。緩衝支持脚の寸法や構造については、以下に詳細に説明する。
【００１７】
上記緩衝支持脚は、エラストマーからなる。かかる材料から構成されていることによって、階上の音を効果的に吸収し、軽量床衝撃音、重量床衝撃音ともに大幅に軽減することが可能となる。緩衝支持脚として用いられる代表的なエラストマーとしては、天然ゴム、グラフト天然ゴム、天然トランス−ポリイソプレン、環化天然ゴム、塩化天然ゴム；スチレンブタジエンゴム（ＳＢＲ）、イソプレンゴム、トランスポリイソプレン、ブチルゴム、ハロゲン化ブチルゴム、エチレンプロピレンゴム、エチレンプロピレンジエンゴム、エチレン酢酸ビニルゴム、クロロプレンゴム、ブタジエンゴム、高シスブタジエンゴム、低シスブタジエンゴム、クロロスルホン化ポリエチレンゴム、アクリロニトリルブタジエンゴム（ＮＢＲ）、シリコーンゴム、アクリルゴム、エチレンアクリルゴム、エピクロロヒドリンゴム、ニトリルゴム（ＮＲ）、カルボキシル化ニトリルゴム、ウレタンゴム等の合成ゴム；ポリ塩化ビニル、ポリエチレン、スチレンブタジエンブロックコポリマー、エチレンプロピレンターポリマー等の熱可塑性エラストマー；または熱硬化性エラストマー；グラスウール、ロックウールなどの無機繊維類などが挙げられる。これらのエラストマーを単独、または混合して用いてもよく、場合により加硫剤（架橋剤）、加硫助剤（架橋助剤）、加硫促進剤（架橋促進剤）、充填剤、充填材改質剤、発泡剤、発泡助剤、老化防止剤、加工助剤、補強剤、軟化材、可塑剤、粘着付与剤、着色剤等の添加剤を混合することができる。
【００１８】
緩衝支持脚のかたさが大きすぎると、衝撃音を吸収する効果が少ないため、好ましくない。一方、緩衝支持脚のかたさが小さぎると、歩行の際に船酔い感があるなど、住民の居住に耐えないものとなる。従ってかかる観点から、用いる緩衝材のかたさはＪＩＳ  Ｋ６２５３タイプＡデュロメーターかたさ約４０〜８０程度であることが好ましい。
【００１９】
床材とは、本発明の防音床構造の基盤となる面を構成する部材であって、例えば１層の木製、プラスチック製などの床板パネル、合板、防音材や強化材シートを積層した床パネル材、パーティクルボードであってもよい。かかる床材を１枚またはそれ以上用いて隙間なくあるいは間隔をおいて並べたり、あるいは床材同士を連結することにより、一部屋分の床面を形成することができる。
【００２０】
場合により用いる捨て板とは、床面の剛性を必要に応じて改善する為に使用される。捨て板として、例えばベニヤ板、木製の一枚板、石膏ボード、珪酸カルシゥムボード等を使用することができる。
【００２１】
基準床、従来の防音床、及び本発明の防音二重床のいずれにも用いられる仕上げ材とは、床表面材又はフロア材ともいい、床の表面を被覆するものである。仕上げ材部分は、直接階上の部屋の床部分となるため、通常は外観、質感などが居住に適したものを使用する。仕上げ材として、例えばフローリング用化粧板、クッションフロアー等を使用することができる。
【００２２】
本発明のもう一つの態様は、上述した防音二重床構造の施工方法に関する。すなわち、普通床の基板上の所定の位置に際根太を施工し、緩衝支持脚を取り付けた床材を前記際根太に置き、場合によりこの上に捨て板を置き、さらにこの上に仕上げ板を置くことからなる、防音床を含む防音二重床施工方法である。
【００２３】
普通床の基板は、先に説明したとおり、従来の普通床構造の基盤となる部分であって、本発明の防音床構造を置くための土台となる通常は平滑な面を意味する。基板としては、通常合板、１層の木製パネル、プラスチックパネル、床パネル材、パーティクルボード、ＡＬＣボードなどが用いられる。
【００２４】
際根太とは、床面を形成する際に、床材等を置くために壁面周囲全体に配置される部材であり、通常は角材、合成木材、樹脂板を用いる。
この際根太上に緩衝支持脚を取り付けた床材を置く。緩衝支持脚を取り付けた床材とは、例えば床材の所望の位置に所定の貫通孔をあけ、ここに後に詳細に説明する形状を有する本発明に係る緩衝支持脚の貫入部を挿入した床材を意味する。このように本発明に係る緩衝支持脚を使用すると、従来のように支持脚、台座部を別々に金具などを用いて取り付ける必要がなくなり、床材に穴をあけてここに緩衝支持脚の貫入部を挿入するだけでよいので、現場での施工作業の繁雑さが大幅に減少する。
【００２５】
この上に場合により捨て板を置き、必要に応じて床面の強度の補強をすることができる。捨て板を使用する場合には、床材の継ぎ目と、捨て板の継ぎ目とが重ならないように重ねることが好ましい。さらにこの上に仕上げ材を置く。仕上げ板を置く際には、捨て板の継ぎ目と仕上げ板の継ぎ目とが重ならないように置くことが好ましい。このようにして防音二重床を完成させることができる。
【００２６】
【発明の実施の形態】
本発明の実施の形態を以下に説明する。まず本発明に係る防音床構造及びかかる防音床を含む防音二重床の具体的な形状について詳細に説明する。
【００２７】
図１に普通床構造の例を示す。上記の通り、従来床は、図１ａに示されるように、１：大引きに垂直に２：根太を数本置き、この上に３：基板を置いて、さらに４：仕上げ材を置いた構造となっている。あるいは、図１ｂのようにいわゆる根太レス床と称される構造、すなわち大引きの上に根太を置くことなく、３：基板と４：仕上げ材との間に５：石膏ボードを配置した構造となっている。また図１ｃは、いわゆるＡＬＣ床と称される構造であり、主に軽量鉄骨構造住宅に用いられる床構造である。６：軽量鉄骨梁の上に直接３：基板としてＡＬＣボードを置き、この上に４：仕上げ材を置いた構造となっている。
【００２８】
図２に示されるように、従来の防音普通床は、上記基板と仕上げ材との間に、７：防音床材を含む構造となっている。根太レス床、ＡＬＣ床にも、仕上げ材の下部に防音床材を置くことによって従来の防音普通床を形成することができる。
【００２９】
図３には、上記普通床に本発明にかかる防音床構造を施工した例を示す。寸法が表示してある場合には単なる例示であって本発明を制限するものではない。普通床基板上の所定の位置に８：際根太を配置し、ここに９：緩衝支持脚を取り付けた１０：床材を配置し、この上に場合により１１：捨て板を配置し、この上に４：仕上げ材を置いた構造となっている。従来の防音普通床は、基板と仕上げ材との間に防音床材を置いただけの構造であるが、本発明では、上記基板と仕上げ材との間に、本発明の防音床構造を配置して、二重床構造となっているのが特徴的である。このような構造をとることによって、従来では軽減する手段がほとんどなかった重量床衝撃音レベルを効果的に軽減することが可能となる。さらに本発明の防音床構造は比較的低いタイプのものであるので、天井高さなどに制限がある場合であっても、これを阻害することなく建築施工することが可能となる。
【００３０】
次に、本発明の防音床構造に用いることができる緩衝支持脚の形状を説明する。図４には、本発明に係る緩衝支持脚の形状の例を示す。表示してある寸法（単位はｍｍ）は、単なる例示であって本発明を制限するものではない。図４ｂに示される緩衝支持脚の側面図により説明すると、緩衝支持脚は台座部と、貫入部から主に成る。台座部は、好ましくは円錐台形をしているが、角錐台形など所望の形状にすることができる。台座部底面には、基板と接触する面を安定化させるための溝が切ってあることが好ましい。台座部から突起状に出ている貫入部は、床材に設けられた貫入孔に挿入されるための部分である。この部分を床材の孔に挿入することによって緩衝支持脚付きの床材を作り、これを際根太上に置くことによって非常に簡単に防音床構造を作ることができる。緩衝支持脚の貫入部の周囲には、好ましくは１本又は複数の突起部が施されている。この突起部は主に床材から緩衝支持脚が脱落することを防止するためのものである。実際に緩衝支持脚を床材に取り付ける際には、床材面と接触する部分にワッシャを入れることが好ましい。このようにすることにより、緩衝支持脚の摩耗を防止することができる。
【００３１】
本発明に係る緩衝支持脚の別の態様として、例えば図５に示されるように、床面と支持脚とを固定するためのねじやビス等を打ち込むことができるように、貫入部の中央に所定の深さの穴をあけることもできる。ここで表示してある寸法（単位はｍｍ）は、単なる例示であって本発明を制限するものではない。ねじやビス等は、例えば捨て板あるいは仕上げ板の上から打ち込むことができる。このようにすることにより、床材から緩衝支持脚が脱落することを効果的に防止することができる。
【００３２】
再度図３に戻ると、本発明の防音床構造を含む防音二重床においては、床材に取り付けられた緩衝支持脚の台座部により、普通床基板と床材との間に空間ができ、いわゆる浮き床の状態になる。浮き床になっていることにより、階上に発生する音を効果的に吸収することが可能になるが、本発明の防音床構造はさらに緩衝支持脚を用いているため、軽量床衝撃音と共に重量床衝撃音も効果的に減少させることができる。普通床基板と床材との間にある空間には、吸音性をさらに高めるために、例えばフェルトなどの吸音材を詰めることも可能であるが、ここに配線などを施す場合等、かかる吸音材を詰めずに施工することもできる。
【００３３】
【実施例】
以下に、本発明の実施の効果を、比較実施例および実施例に基づいて説明するが、本実施例は、本発明の範囲をかかる態様に限定することを意図するものではない。
（基準床の作成）
一般住宅用床として通常使用される直張りタイプの在来根太木床（本明細書における普通床、または基準床）を作成した。大引きに垂直に、寸法２４００×１５０×５７（ｍｍ）の木製根太を１２本渡した。この上に、寸法６００×１８００×２０（ｍｍ）の合板（（株）ノダ製、商品名：針葉樹合板）を８枚、基板として置いた。さらにこの上に、寸法３００×１８００×１２（ｍｍ）の仕上げ材（（株）ノダ製、商品名ＫＬ−３０）を１６枚置き、基準床を作成した。
（本発明の防音床を含む防音二重床の作成）
上記基準床の基板と仕上げ材との間に、本発明の防音床を作成した。
【００３４】
寸法６００×１８００×２０（ｍｍ）の基板（東京ボード社製、商品名パーティクルボード）に１５ｍｍの貫通孔を図６に示されるような配置で１０個設け、貫通孔の各々に本発明の緩衝支持脚（埼玉ゴム製、商品名ＳＲ−７０１０）の貫入部を挿入した。用いた緩衝支持脚は図４に示されるタイプのものであり、材質はＮＢＲ＋ＮＲである。
【００３５】
上記基準床の周囲に、長さ２．４×３．６ｍの木製の際根太を配置した。この上に上述の緩衝支持脚つきパーティクルボードを８枚並べてのせた。さらにこの上に捨て板として寸法９００×１８００×８（ｍｍ）のベニヤ板（（株）ノダ製、商品名ＫＬ−３０）を５．５枚置いた。この上に仕上げ板として寸法３００×１８００×１２（ｍｍ）のフロア材（（株）ノダ製、商品名ＫＬ−３０）を１６枚並べてのせた。パーティクルボード、捨て板、仕上げ板は、それぞれ継ぎ目が重ならないように並べた。
（床衝撃音レベルの測定）
床衝撃音レベルは、各々ＪＩＳ  Ａ  １４１８−１：２０００及び２：２０００に示される方法により測定した。上述した基準床及び本発明の防音床を含む防音二重床の中央部と床平面内で平均的に分布する４点を、軽量衝撃音発生器により叩くか、あるいはこの４点に重量衝撃源（重量７．３ｋｇ、空気圧１．５×１０５Ｐａ、寸法５．２０−１０−４ＰＲの自動車タイヤ）を床面上方高さ９０ｃｍの点から自由落下させた。作成床の下に受音室を設け、そこに設置したマイクロフォンを介して軽量床衝撃音及び重量床衝撃音を測定した。ＪＩＳ  Ａ１４１８−２０００に記載される計算式により軽量床衝撃音レベル及び重量床衝撃音レベルを算出した。軽量床衝撃源及び重量衝撃源を落下させた時の各重量床衝撃音レベルを以下の表１（軽量衝撃音レベル）及び表２（重量衝撃音レベル）に示す。さらにこの表の数値をグラフにしたものが、図７（軽量）及び図８（重量）である。
【００３６】
【表１】
2004270206.tif 000003
【００３７】
【表２】
2004270206.tif 000004
【００３８】
本発明の防音二重床は、基準床と比較して、軽量床衝撃音レベル、重量床衝撃音レベルとも１〜２レベル減少していることがわかる。
（比較実施例）
従来防音床として市販されている製品の床衝撃音レベルを測定した。上記基準床に各社の防音床材を施工して、従来の防音床を作製した。すなわち、これら比較実施例の防音床の構造は、図２に示されるような、普通床基板と仕上げ材との間に防音床材を施したタイプのものである。防音床材として使用した製品を以下の表３に示す。
【００３９】
【表３】
2004270206.tif 000005
【００４０】
従来から防音床として市販されている製品は、いずれも二重床構造ではなく、直張りタイプのものである。上記表３の各社の床材の仕様について、以下に説明する。
１．石膏ボード８ｔ  ２重；厚さ８ｍｍの石膏ボードを２重に重ねたもの
２．石膏ボード８ｔ  １重；厚さ８ｍｍの石膏ボードを１重で用いたもの
３．ゴム系遮音シート４ｔ；厚さ４ｍｍのゴム製シート（商品名ＳＲ−４５００）
４．アスファルト系高比重８ｔ；厚さ８ｍｍのアスファルト系ボード（商品名シャオンＱ）
５．マット８ｔ；厚さ８ｍｍのアスファルトマット（商品名サウンドシールドＮＫ）
６．遮音マット９ｔ；厚さ９ｍｍの特殊非加硫ゴムマット（商品名遮音マットＳ０９）
７．防音床マット１０ｔ；厚さ１０ｍｍの特殊ゴム製防音マット（商品名防音マットＥ）
８．本発明の二重床
９．基準床
各従来防音床及び本発明の防音二重床の床衝撃音レベルを以下の表４（軽量衝撃音レベル）及び表５（重量衝撃音レベル）に示す。さらにこの表の数値をグラフにしたものが、図９（軽量）及び図１０（重量）である。
【００４１】
【表４】
2004270206.tif 000006
【００４２】
【表５】
2004270206.tif 000007
【００４３】
本発明の防音二重床（８）は、各社従来防音床（１〜７）と比較して、軽量床衝撃音レベル、重量床衝撃音レベルとも１〜２レベル減少していることがわかる。すなわち従来行われていなかった、一般住宅における二重床の施工により、階上の衝撃音を効果的に減少させることが可能であることが明らかになった。
【００４４】
【発明の効果】
【図面の簡単な説明】
【図１】従来法による普通床の構造（ａ）在来根太床、（ｂ）根太レス床及び（ｃ）ＡＬＣ床の構造をそれぞれ示す図である。
【図２】在来根太床（普通床）に従来法による防音施工をした従来防音床の例を示す図である。
【図３】在来根太床（普通床）に、本発明の防音床構造を施工した防音二重床構造の例を示す図である。
【図４】本発明に用いることができる緩衝支持脚の形状の例の上面図（ａ）、側面図（ｂ）及び下面図（ｃ）である。
【図５】本発明の緩衝支持脚の別の形状の例を示す図である。
【図６】パーティクルボードに設けた貫入孔の配置の例を表す図である。
【図７】基準床及び本発明の防音二重床構造の軽量床衝撃音レベルをそれぞれグラフにしたものである。
【図８】基準床及び本発明の防音二重床構造の重量床衝撃音レベルをそれぞれグラフにしたものである。
【図９】本発明の防音二重床及び市販の防音床構造の軽量床衝撃音レベルをそれぞれグラフにしたものである。
【図１０】本発明の防音二重床及び市販の防音床構造の重量床衝撃音レベルをそれぞれグラフにしたものである。
【符号の説明】
１：大引き
２：根太
３：基板
４：仕上げ材
５：石膏ボード
６：軽量鉄骨梁
７：防音床材
８：際根太
９：緩衝支持脚
１０：床材
１１：捨て板
１２：台座部
１３：貫入部
１４：突起部
【図１】
2004270206.tif 000008
【図２】
2004270206.tif 000009
【図３】
2004270206.tif 000010
【図４】
2004270206.tif 000011
【図５】
2004270206.tif 000012
【図６】
2004270206.tif 000013
【図７】
2004270206.tif 000014
【図８】
2004270206.tif 000015
【図９】
2004270206.tif 000016
【図１０】
2004270206.tif 000017